(57)【特許請求の範囲】
【請求項１】
ラップフィルム収納箱の製造方法であって、
刃と、当該刃の両側に配置された押さえ部材とを有する押し型を、箱の原紙に押し付けて、前記刃により前記原紙に切り込み線を形成する工程において、
形成される切り込み線を挟んだ両側のうちの箱の使用時に浮かせる側又は取り除かれる側の原紙表面を押さえる第１の押さえ部材は、他方側の原紙表面を押さえる第２の押さえ部材よりも剛性が低い、ラップフィルム収納箱の製造方法。
【請求項２】
前記第１の押さえ部材は、前記第２の押さえ部材よりもアスカ硬度Ａ型が１０°以上低い、請求項１に記載のラップフィルム収納箱の製造方法。
【請求項３】
前記原紙に切り込み線を形成する工程において、前記原紙の裏面側には、前記押し型と対をなす受け型が配置されており、前記受け型において、形成される切り込み線を挟んだ両側のうちの箱の使用時に浮かせる側又は取り除かれる側の原紙裏面を受ける部分には、他方側の原紙裏面を受ける部分よりも高い突出部が形成されている、請求項１又は請求項２に記載のラップフィルム収納箱の製造方法。
【請求項４】
ラップフィルムを収納可能で、前板と、底板と、後板と、脇板とを有する上面が開口した本体部と、前記後板から前方に延びて前記本体部の上面開口部を覆う蓋板と、前記蓋板から前記前板側に延びて前記前板の前面を覆う掩蓋片とを有する蓋部と、前記掩蓋片の先端縁に切り取り線を介して接続され、前記前板に複数の接着部で接着された開封片と、を有し、前記開封片によって前記蓋部が封止されており、前記開封片を切り取り線に沿って切り取ることによって前記蓋部を開封可能な前記ラップフィルム収納箱において、
前記第１の押さえ部材が前記接着部の原紙表面を押さえ、前記第２の押さえ部材が前記接着部の周縁部を挟んだ周囲の原紙表面を押さえ、前記刃により前記接着部の周縁部に前記切り込み線を形成する、請求項１〜３のいずれかに記載のラップフィルム収納箱の製造方法。
【請求項５】
ラップフィルムを収納可能で、前板と、底板と、後板と、脇板とを有する上面が開口した本体部と、前記後板から前方に延びて前記本体部の上面開口部を覆う蓋板と、前記蓋板から前記前板側に延びて前記前板の前面を覆う掩蓋片とを有する蓋部と、前記掩蓋片の先端縁に切り取り線を介して接続され、前記前板に接着された開封片と、を有し、前記前板には、下側を浮かせるつまみ片が形成されている、前記ラップフィルム収納箱において、
前記第１の押さえ部材が前記つまみ片の原紙表面を押さえ、前記第２の押さえ部材が前記つまみ片の下縁部を挟んだ外側の原紙表面を押さえ、前記刃により前記つまみ片の下縁部に前記切り込み線を形成する、請求項１〜３のいずれかに記載のラップフィルム収納箱の製造方法。
【請求項６】
前記前板には、前記前板の裏面を覆う裏板が接続され、前記裏板には、下側を浮かせるフラップ片が形成されており、
前記第１の押さえ部材が前記フラップ片の原紙表面を押さえ、前記第２の押さえ部材が前記フラップ片の下縁部を挟んだ外側の原紙表面を押さえ、前記刃により前記フラップ片の下縁部に前記切り込み線を形成する、請求項５に記載のラップフィルム収納箱の製造方法。
【請求項７】
組み立て前の展開された原紙に切り込み線が形成されているラップフィルム収納箱であって、
組み立て前の展開された原紙において、切り込み線を挟んだ両側のうちの箱の使用時に浮かせる側又は取り除かれる側の原紙表面が、他方側の原紙表面よりも５０μｍ以上高く、
前記ラップフィルム収納箱は、ラップフィルムを収納可能で、前板と、底板と、後板と、脇板とを有する上面が開口した本体部と、前記後板から前方に延びて前記本体部の上面開口部を覆う蓋板と、前記蓋板から前記前板側に延びて前記前板の前面を覆う掩蓋片とを有する蓋部と、前記掩蓋片の先端縁に切り取り線を介して接続され、前記前板に複数の接着部で接着された開封片と、を有し、前記開封片によって前記蓋部が封止されており、前記開封片を前記切り取り線に沿って切り取ることによって前記蓋部を開封可能なものであり、
前記接着部の周縁部に前記切り込み線が形成され、
組み立て前の展開された原紙において、前記接着部の原紙表面が前記接着部の周囲の原紙表面よりも５０μｍ以上高い、ラップフィルム収納箱。
【請求項８】
組み立て前の展開された原紙において、前記切り込み線を挟んだ両側のうちの箱の使用時に浮かせる側又は取り除かれる側の原紙裏面の少なくとも一部が、他方側の原紙裏面よりも高い、請求項７に記載のラップフィルム収納箱。
【請求項９】
前記前板には、下側を浮かせるつまみ片が形成されており、
前記つまみ片の下縁部に前記切り込み線が形成され、
組み立て前の展開された原紙において、前記つまみ片の原紙表面が前記つまみ片の下縁部を挟んだ外側の原紙表面よりも５０μｍ以上高い、請求項７又は８に記載のラップフィルム収納箱。
【請求項１０】
前記前板には、前記前板の裏面を覆う裏板が接続され、前記裏板には、下側を浮かせるフラップ片が形成されており、
前記フラップ片の下縁部に前記切り込み線が形成され、
組み立て前の展開された原紙において、前記フラップ片の原紙表面が前記フラップ片の下縁部を挟んだ外側の原紙表面よりも５０μｍ以上高い、請求項９に記載のラップフィルム収納箱。
【発明の詳細な説明】
【技術分野】
【０００１】
本発明は、特に食品包装用のラップフィルム、アルミホイル、クッキングシート等（以下、ラップフィルムと称す）を巻回したラップフィルム収納箱の製造方法及びラップフィルム収納箱に関する。
【背景技術】
【０００２】
ラップフィルムは、通常、紙製の芯体に巻回されて巻筒体を構成し、当該巻筒体が、紙製の直方体のラップフィルム収納箱に収納されている。
【０００３】
ラップフィルム収納箱は、上面が開口した本体部と、本体部の上面開口部と前板の前面を覆う蓋部と、蓋部の先端縁に切り取り線を介して接続され、前板に接着された開封片とを有している（特許文献１参照）。開封片によって蓋部が封止されており、ユーザが開封片を切り取り線に沿って切り取ることによって蓋部を開封可能である。ラップフィルム収納箱の開封後は、箱内の巻筒体のラップフィルムを必要分引き出し、カットして使用する。
【０００４】
ところで、上述のラップフィルム収納箱は、プレス加工により板状の原紙から箱の外形を打ち抜くとともに、当該原紙に折り線や切り込み線を形成し、その後当該原紙を箱状に組み立てることにより製造される。
【０００５】
プレス加工により形成される上記切り込み線は、ラップフィルム収納箱の使用の際に、切り込み線を挟んだ両側のうちの片方を浮かせたり、取り除くために形成される。例えば特許文献１において、下縁部に切り込み線を有するつまみ片は、前板に対し浮かした状態で使用される。
【先行技術文献】
【特許文献】
【０００６】
【特許文献１】再公表２００８−１５３０１２号公報
【発明の概要】
【発明が解決しようとする課題】
【０００７】
上述の切り込み線を形成するプレス加工は、原紙に切り込み線を形成する刃と、原紙の前記刃が挿入される部分の両側を押さえる押さえ部材を有する押し型を用いて行われる。当該押し型を原紙に押し付け、押さえ部材で原紙を押さえながら、刃を原紙に挿入して、切り込み線が形成される。
【０００８】
しかしながら、上述のような押し型を用いて原紙に切り込み線を形成した場合、原紙の切り込み線を挟んだ両側の高さの関係が安定しない。このため、例えば図１９に示すように切り込み線１５０を挟んだ両側のうち、箱の使用時に上記つまみ片のように浮かせたり、取り除かれる側の第１の部分Ｓ１が、浮かせたり取り除かれたりしない側の第２の部分Ｓ２と同じ高さ、或いはそれより低くなることがある。
【０００９】
かかる場合、第１の部分Ｓ１を浮かせたり、取り除く際に、第１の部分Ｓ１と第２の部分Ｓ２の切り込み線１５０の部分の摩擦や抵抗が大きくなり、第１の部分Ｓ１を適切に浮かせたり取り除いたりできないことがある。これらが適切かつ安定的に行われないと、ラップフィルム収納箱を使用しにくくなったり、使用できなくなる。
【００１０】
本発明は、かかる点に鑑みてなされたものであり、使用時に、原紙の切り込み線の片側部分を適正かつ安定的に浮かせたり、取り除くことができるラップフィルム収納箱の製造方法及びラップフィルム収納箱を提供することをその目的とする。
【課題を解決するための手段】
【００１１】
本発明者等は、鋭意研究を重ねた結果、組み立て前の展開された原紙において、原紙の切り込み線を挟んだ両側のうちの使用時に浮かせる側又は取り除かれる側の原紙表面を、他方の側の原紙表面よりも高くすることで上記の種々の課題が解決されることを見出し、本発明をなすに至った。すなわち、本発明は下記（１）〜（１０）を提供する。
【００１２】
（１）ラップフィルム収納箱の製造方法であって、刃と、当該刃の両側に配置された押さえ部材とを有する押し型を、箱の原紙に押し付けて、前記刃により前記原紙に切り込み線を形成する工程において、形成される切り込み線を挟んだ両側のうちの箱の使用時に浮かせる側又は取り除かれる側の原紙表面を押さえる第１の押さえ部材は、他方側の原紙表面を押さえる第２の押さえ部材よりも剛性が低い、ラップフィルム収納箱の製造方法。
（２）前記第１の押さえ部材は、前記第２の押さえ部材よりもアスカ硬度Ａ型が１０°以上低い、（１）に記載のラップフィルム収納箱の製造方法。
（３）前記原紙に切り込み線を形成する工程において、前記原紙の裏面側には、前記押し型と対をなす受け型が配置されており、前記受け型において、形成される切り込み線を挟んだ両側のうちの箱の使用時に浮かせる側又は取り除かれる側の原紙裏面を受ける部分には、他方側の原紙裏面を受ける部分よりも高い突出部が形成されている、（１）又は（２）に記載のラップフィルム収納箱の製造方法。
（４）ラップフィルムを収納可能で、前板と、底板と、後板と、脇板とを有する上面が開口した本体部と、前記後板から前方に延びて前記本体部の上面開口部を覆う蓋板と、前記蓋板から前記前板側に延びて前記前板の前面を覆う掩蓋片とを有する蓋部と、前記掩蓋片の先端縁に切り取り線を介して接続され、前記前板に複数の接着部で接着された開封片と、を有し、前記開封片によって前記蓋部が封止されており、前記開封片を切り取り線に沿って切り取ることによって前記蓋部を開封可能な前記ラップフィルム収納箱において、前記第１の押さえ部材が前記接着部の原紙表面を押さえ、前記第２の押さえ部材が前記接着部の周縁部を挟んだ周囲の原紙表面を押さえ、前記刃により前記接着部の周縁部に前記切り込み線を形成する、（１）〜（３）のいずれかに記載のラップフィルム収納箱の製造方法。
（５）ラップフィルムを収納可能で、前板と、底板と、後板と、脇板とを有する上面が開口した本体部と、前記後板から前方に延びて前記本体部の上面開口部を覆う蓋板と、前記蓋板から前記前板側に延びて前記前板の前面を覆う掩蓋片とを有する蓋部と、前記掩蓋片の先端縁に切り取り線を介して接続され、前記前板に接着された開封片と、を有し、前記前板には、下側を浮かせるつまみ片が形成されている、前記ラップフィルム収納箱において、前記第１の押さえ部材が前記つまみ片の原紙表面を押さえ、前記第２の押さえ部材が前記つまみ片の下縁部を挟んだ外側の原紙表面を押さえ、前記刃により前記つまみ片の下縁部に前記切り込み線を形成する、（１）〜（３）のいずれかに記載のラップフィルム収納箱の製造方法。
（６）前記前板には、前記前板の裏面を覆う裏板が接続され、前記裏板には、下側を浮かせるフラップ片が形成されており、前記第１の押さえ部材が前記フラップ片の原紙表面を押さえ、前記第２の押さえ部材が前記フラップ片の下縁部を挟んだ外側の原紙表面を押さえ、前記刃により前記フラップ片の下縁部に前記切り込み線を形成する、（５）に記載のラップフィルム収納箱の製造方法。
（７）組み立て前の展開された原紙に切り込み線が形成されているラップフィルム収納箱であって、組み立て前の展開された原紙において、切り込み線を挟んだ両側のうちの箱の使用時に浮かせる側又は取り除かれる側の原紙表面が、他方側の原紙表面よりも５０μｍ以上高く、前記ラップフィルム収納箱は、ラップフィルムを収納可能で、前板と、底板と、後板と、脇板とを有する上面が開口した本体部と、前記後板から前方に延びて前記本体部の上面開口部を覆う蓋板と、前記蓋板から前記前板側に延びて前記前板の前面を覆う掩蓋片とを有する蓋部と、前記掩蓋片の先端縁に切り取り線を介して接続され、前記前板に複数の接着部で接着された開封片と、を有し、前記開封片によって前記蓋部が封止されており、前記開封片を前記切り取り線に沿って切り取ることによって前記蓋部を開封可能なものであり、前記接着部の周縁部に前記切り込み線が形成され、組み立て前の展開された原紙において、前記接着部の原紙表面が前記接着部の周囲の原紙表面よりも５０μｍ以上高い、ラップフィルム収納箱。
（８）組み立て前の展開された原紙において、前記切り込み線を挟んだ両側のうちの箱の使用時に浮かせる側又は取り除かれる側の原紙裏面の少なくとも一部が、他方側の原紙裏面よりも高い、（７）に記載のラップフィルム収納箱。
（９）前記前板には、下側を浮かせるつまみ片が形成されており、前記つまみ片の下縁部に前記切り込み線が形成され、組み立て前の展開された原紙において、前記つまみ片の原紙表面が前記つまみ片の下縁部を挟んだ外側の原紙表面よりも５０μｍ以上高い、（７）又は（８）に記載のラップフィルム収納箱。
（１０）前記前板には、前記前板の裏面を覆う裏板が接続され、前記裏板には、下側を浮かせるフラップ片が形成されており、前記フラップ片の下縁部に前記切り込み線が形成され、組み立て前の展開された原紙において、前記フラップ片の原紙表面が前記フラップ片の下縁部を挟んだ外側の原紙表面よりも５０μｍ以上高い、（９）に記載のラップフィルム収納箱。
【発明の効果】
【００１３】
本発明によれば、ラップフィルム収納箱の組み立て前の展開された原紙において、原紙の切り込み線を挟んだ両側のうちの箱の使用時に浮かせる側又は取り除かれる側の原紙表面を、他方の側の原紙表面よりも高くするので、原紙の切り込み線の片側部分を浮かせたり取り除く際に、浮かせたり取り除く一方向への摩擦や抵抗を小さくでき、原紙の一部の浮かしや取り除きを適正かつ安定的に行うことができる。よって、ラップフィルム収納箱を適切に使用できる。
【図面の簡単な説明】
【００１４】
【図１】ラップフィルム収納箱の概略を示す斜視図である。
【図２】ラップフィルム収納箱の展開図を示す平面図である。
【図３】ラップフィルム収納箱の開封時の状態を示す斜視図である。
【図４】ラップフィルム収納箱の開封後の状態を示す斜視図である。
【図５】切り込み線とつなぎ部で囲まれた接着部の平面図である。
【図６】接着部とのその周囲の高低差を示す断面図である。
【図７】プレス加工機の構成の概略を示す説明図である。
【図８】押し型の平面図である。
【図９】押し型と原紙の位置関係を示す接着部周辺の断面図である。
【図１０】押し型を原紙に押し付けた状態を示す接着部周辺の断面図である。
【図１１】押し型を原紙から離した状態を示す接着部周辺の断面図である。
【図１２】押し型と原紙の位置関係を示すつまみ片或いはフラップ片周辺の断面図である。
【図１３】つまみ片或いはフラップ片とその周辺の高低差を示す断面図である。
【図１４】突出部を形成した受け型上の原紙に押し型を押し付けた状態を示す接着部周辺の断面図である。
【図１５】部分的に突出部を形成した受け型上の原紙に押し型を押し付けた状態を示す接着部周辺の断面図である。
【図１６】部分的に突出部のある受け型を用いた場合の接着部とその周辺の高低差を示す断面図である。
【図１７】第１の押さえ部材と第２の押さえ部材の硬度を変えた場合の接着部の原紙表面の浮き量を示す実験データである。
【図１８】接着部の原紙表面の浮き量とラップフィルム収納箱の開封成功率を示す表である。
【図１９】ラップフィルム収納箱の原紙の切り込み線を挟んだ両側のうちの、箱の使用時に浮かせたり取り除かれる側の第１の部分が、浮かせたり取り除かれたりしない側の第２の部分より低くなっている状態示す断面図である。
【発明を実施するための形態】
【００１５】
本発明について、以下具体的に説明する。なお、以下の実施の形態は、本発明を説明するための例示であり、本発明はその実施の形態のみに限定されるものではない。なお、同一の要素には同一の符号を付し、重複する説明を省略する。
【００１６】
図１は、ラップフィルム収納箱１を示す概略斜視図であり、図２は、図１のラップフィルム収納箱１の組み立て前の展開された原紙２を示す。
【００１７】
図１及び図２に示すようにラップフィルム収納箱１は、全体が直方体形状を有し、例えば掩蓋片１０、蓋板１１、脇掩蓋片１２等からなる蓋部１３と、前板１４、底板１５、後板１６、脇板１７、折返し裏板１８等からなる本体部１９と、開封片２０とを有している。
【００１８】
本体部１９は、上面開口部を有し、例えば円筒状の芯体に巻かれたラップフィルムを上面開口部から収容できる。蓋部１３の蓋板１１は、後板１６から前方に延びて本体部１９の上面開口部を覆っている。掩蓋片１０は、蓋板１１から前板１４側に延びて前板１４の前面を覆っている。折返し裏板１８は、前板１４の上端縁に接続され前板１４の裏面側に折り返されて前板１４の裏面を覆っている。
【００１９】
開封片２０は、本体部１９の前面に位置し、ラップフィルム収納箱１の長手方向に沿った帯状に形成されている。開封片２０は、掩蓋片１０の先端縁に切り取り線２１を介して接続されている。開封片２０の裏面側は、前板１４の複数の接着部３０に接着している。この開封片２０によって蓋部１３が封止されており、図３に示すように開封片２０を開封方向Ｘに向けて切り取り線２１に沿って切り取ることによって蓋部１３を開封できる。
【００２０】
掩蓋片１０の先端縁部の裏面側には、ラップフィルム収納箱１の長手方向に沿って金属製鋸刃２２がカシメ爪でカシメ固定されている。使用時に本体部１９から所望量引き出されたラップフィルムは、この金属製鋸刃２２により切断される。なお、このラップフィルムの切断具の材質は、金属、プラスチック、バルカナイズドファイバー等であり、切断具の形状は、直線状、Ｖ状、アーチ状等従来公知のものであれば特に制限はない。また、切断具が配備されている部位は、掩蓋片１０の先端縁部の他、前板１４の上縁部、底板１５と前板１４の間の稜線部いずれでも構わない。
【００２１】
開封片２０を前板１４に接着させる接着部３０は、図２及び図４に示すように前板１４の下部に複数、例えば６個、開封方向Ｘに並べて設けられている。接着部３０は、例えば円形或いは楕円形を有し、その周縁部には、図５に示すように前板１４の厚み方向に貫通する切り込み線３１と、接着部３０とその周りをつなぐつなぎ部３２が形成されている。なお、このつなぎ部３２の位置と数は、任意に選択できる。接着部３０の表面は、開封片２０の裏面に塗布された接着剤により開封片２０に接着されている。開封片２０に対向する前板１４の接着部３０以外の部分は、接着剤との剥離性が良好なニスが塗布されており、開封片２０の裏面に塗布された接着剤とは仮留め程度の接着力しか示さない。かかる接着部３０の場合、開封片２０を開封方向Ｘに引っ張ることにより、接着部３０のつなぎ部３２が破断し、開封片２０と共に接着部３０全体が前板１４から刳り抜かれ、開封片２０を切り取ることができる。
【００２２】
なお、接着部３０の数は、特に限定されないが、前板１４の下部に２〜１０個の接着部３０を設けていることが好ましい。こうすることで、流通段階での封止性を十分に確保することができる。また、接着部３０を複数個設けることで、各接着部３０の接着強度を必要以上に上げる必要がないため、開封片２０を開封する際の抵抗を極力抑えることができる。また、接着部３０の面積は、特に限定されないが、接着部３０の１箇所あたり２００ｍｍ2以下が好ましい。より好ましくは、１５０ｍｍ2以下、３０ｍｍ2以上である。また、接着部３０の接着力を高める方法は、特に限定されないが、接着部３０内に複数の非貫通穴、あるいは貫通孔を設け、そこに接着剤を浸透させ、錨効果により接着力を高めてもよい。
【００２３】
図２に示すラップフィルム収納箱１を組み立てる前の展開された原紙２には、例えば、ボール紙、コートボール紙、段ボール等が用いられるが、これらに限定されず、当業界で公知の紙類を適宜選択して用いることができる。原紙２は、これらの素材に、エンボス加工、印刷加工、ポリエチレン等を用いたラミネート加工が施されたものであってもよい。また、原紙２には、０．４５〜１．００ｍｍ程度の厚みのものが用いられる。
【００２４】
組み立て前の展開された原紙２において、図６に示すように接着部３０が浮き上がっており、接着部３０の原紙表面４０は、接着部３０の切り込み線３１を挟んだ周囲の原紙表面４１よりも５０μｍ以上、より好ましくは１００μｍ以上高くなっている。つまり原紙表面４０と原紙表面４１との高低差Ｄが５０μｍ以上、より好ましくは１００μｍである。また、原紙表面４０と原紙表面４１との高低差Ｄは、原紙２の紙厚の６割以下（例、紙厚７６０μｍのとき、４５０μｍ以下）が好ましい。
【００２５】
図２及び図４に示すように前板１４の上部には、下側が前方に浮いて開くつまみ片５０が形成されている。つまみ片５０の下縁部には、切り込み線５１が形成されている。切り込み線５１は、例えば前板１４の左右方向の両端部にわたり形成され、例えば波型に形成されている。また、切り込み線５１は、前板１４と折返し裏板１８との間の折り線５２に接触しないように形成されている。浮いたつまみ片５０にラップフィルムを載せることによって、ラップフィルムをつまみやすくすることができる。
【００２６】
つまみ片５０の中央には、ラップフィルムを仮留め可能な仮留め部５３が形成されている。仮留め部５３は、例えば粘着剤を塗布することにより形成されている。
【００２７】
折返し裏板１８の上部、つまり折り線５２側には、下側が後方に浮いて開くフラップ片６０（図２に示す）が形成されている。フラップ片６０は、例えば２箇所に形成されている。フラップ片６０の下縁部には、切り込み線６１が形成されている。切り込み線６１は、下に凸に湾曲している。このフラップ片６０により、カット後のラップフィルムが本体部１９内に巻き戻ってしまった場合でも、ラップフィルムの端部がフラップ片６０上に載ることで、容易に復旧することができる。
【００２８】
次に、以上のように構成されたラップフィルム収納箱１の製造方法について説明する。ラップフィルム収納箱１の製造方法は、例えば平板の原紙に押し型を押し付け、原紙を打ち抜いて、ラップフィルム収納箱１を展開した形状の原紙２を形成するとともに、当該原紙２に切り込み線や折り線などを形成するプレス加工工程と、その後、その原紙２を箱状に組み立てる組み立て工程を有している。
【００２９】
上記プレス加工工程は、プレス加工機を用いて行われる。例えば図７に示すようにプレス加工機は、表面に受け型７０（下型）が配置され、受け型７０上に原紙２を保持する保持台７１と、押し型（上型）７２を保持して原紙２に押し付ける押圧部７３を有している。押し型７２は、例えば図８に示すようにラップフィルム収納箱１を展開した原紙２を形成するための所望の型を有している。押し型７２は、例えば型フレーム８０と、保持板８１から構成されている。型フレーム８０は、切り込み線３１、５１、６１を形成したり、原紙２を打ち抜いて原紙２の外形を形成するための刃９０と、折り線５２等を形成するために原紙２を押圧する押圧ダイ９１や、刃９０や押圧ダイ９１の両側の原紙２を押さえるための第１の押さえ部材９２及び第２の押さえ部材９３等を有している。保持板８１は、木製或いは金属製の平板状に形成され、型フレーム８０の全面を保持している。
【００３０】
例えば刃９０は、図９に示すように原紙２の接着部３０の切り込み線３１を形成する部分に対応する位置に設けられ、第１の押さえ部材９２は、接着部３０の内側の原紙表面４０に対応する位置に設けられ、第２の押さえ部材９３は、接着部３０の周囲の原紙表面４１に対応する位置に設けられている。第１の押さえ部材９２は、ラップフィルム収納箱１の開封時に取り除かれる接着部３０の原紙表面４０を押さえることができ、第２の押さえ部材９３は、接着部３０の周囲の原紙表面４１を押さえることができる。
【００３１】
第１の押さえ部材９２には、第２の押さえ部材９３よりも剛性が低いものが用いられている。例えば第１の押さえ部材９２のアスカ硬度Ａ型は、２０°〜４０°程度で、第２の押さえ部材９３のアスカ硬度Ａ型は、６５°〜７５°程度であり、第１の押さえ部材９２には、第２の押さえ部材９３よりもアスカ硬度Ａ型が１０°以上低いものが用いられている。例えば第１の押さえ部材９２には、スポンジやゴムが用いられ、第２の押さえ部材９３にはコルクや樹脂が用いられる。
【００３２】
そして、プレス加工機を用いて、原紙２がプレス加工される際には、図１０に示すように押し型７２が下降し原紙２に押し付けられる。このとき、接着部３０の原紙表面４０は、第１の押さえ部材９２により押さえられ、接着部３０の周囲の原紙表面４１は、第２の押さえ部材９３により押さえられた状態で、刃９０が原紙２に挿入して切り込み線３１が形成される。その後、図１１に示すように押し型７２を上昇させる。このとき、第１の押さえ部材９２により押し付けられている接着部３０が浮き上がり、接着部３０の原紙表面４０は、接着部３０の周囲の原紙表面４１よりも５０μｍ（高低差Ｄ）以上、より好ましくは１００μｍ以上高くなる。これは、第１の押さえ部材９２の剛性が第２の押さえ部材９３の剛性よりも低いので、プレス後に押し付け圧力が開放されたときに、剛性の高い押さえ部材９３で押さえられた部分が最後まで強く押し付けられ、剛性の低い押さえ部材９２で押さえられた部分が早めに押し付けがなくなる分、浮き上がってくると考えられる。
【００３３】
プレス加工された後、原紙２が折り線５２などに沿って折られ、開封片２０が前板１４の接着部３０に接着されて、ラップフィルム収納箱１が組み立てられる。
【００３４】
本実施の形態によれば、第１の押さえ部材９２の剛性が第２の押さえ部材９３の剛性よりも低いので、プレス加工された接着部３０の原紙表面４０がその周囲の原紙表面４１よりも高くなる。このため、開封片２０を開封する際に、接着部３０をより小さい摩擦や抵抗で前板１４から取り外すことができる。この結果、接着部３０が適切かつ安定的に前板１４から外れるので、接着部３０の一部が前板１４に残ったり、開封片２０がちぎれるようなことがなく、ラップフィルム収納箱１の開封成功率を向上できる。また、接着部３０の原紙表面４０が高い分、ラップフィルム収納箱１の組立時の接着剤塗布後のプレス加工において、プレスの効果を受けやすく、接着剤が接着部３０上では拡がりやすく、接着剤による開封片２０との高い接着力が得られるので、開封片２０を切り取る際に、接着部３０がより確実に前板１４から刳り抜かれ、ラップフィルム収納箱１の開封成功率が向上する。
【００３５】
第１の押さえ部材９２は、第２の押さえ部材９３よりもアスカ硬度Ａ型が１０°以上低いので、接着部３０の原紙表面４０をその周囲の原紙表面４１よりも５０μｍ以上高くすることができ、これによって、ラップフィルム収納箱１の開封成功率を飛躍的に向上できる。
【００３６】
以上の実施の形態において、押し型７２の刃９０は、図１２に示すようにつまみ片５０の切り込み線５１を形成する部分に対応する位置に設けられ、第１の押さえ部材９２は、つまみ片５０の原紙表面５２に対応する位置に設けられ、第２の押さえ部材９３は、つまみ片５０の切り込み線５１を挟んだ外側の原紙表面５３に対応する位置に設けられていてもよい。また、刃９０は、フラップ片６０の切り込み線６１を形成する部分に対応する位置に設けられ、第１の押さえ部材９２は、フラップ片６０の原紙表面６２に対応する位置に設けられ、第２の押さえ部材９３は、フラップ片６０の切り込み線６１を挟んだ外側の原紙表面６３に対応する位置に設けられていてもよい。
【００３７】
かかる場合、プレス加工工程において、押し型７２が原紙２に押し付けられると、原紙２に切り込み線５１や切り込み線６１が形成される。その後、押し型７２を上昇させると、第１の押さえ部材９２の剛性が第２の押さえ部材９３の剛性よりも低いので、第１の押さえ部材９２により押し付けられているつまみ片５０やフラップ片６０が浮き上がる。これにより、図１３に示すようにつまみ片５０の原紙表面５２は、つまみ片５０の下縁部を挟んだ外側の原紙表面５３よりも５０μｍ（高低差Ｄ）以上高くなり、またフラップ片６０の原紙表面６２は、フラップ片６０の下縁部を挟んだ外側の原紙表面６３よりも５０μｍ以上高くなる。
【００３８】
よって、原紙２の切り込み線５１、６１を挟んだ両側のうちのラップフィルム収納箱１の使用時に浮かせる側の原紙表面５２、６２が、浮かせない側の原紙表面５３、６３よりも５０μｍ以上高くなるので、つまみ片５０やフラップ片６０を前板１４や折返し裏板１８から浮かしやすくなる。これにより、つまみ片５０やフラップ片６０を適切かつ安定的に浮かせることができるので、つまみ片５０やフラップ片６０の機能を効果的に利用できるため、ラップフィルム収納箱１を適切に使用できる。
【００３９】
なお、第１の押さえ部材９２や第２の押さえ部材９３は、原紙２の切り込み線のある上述の接着部３０、つまみ片５０、又はフラップ片６０のすべての位置に設けられていてもよいし、一部に設けられていてもよい。また、第１の押さえ部材９２及び第２の押さえ部材９３は、原紙２の他の切り込み線のある部分に設けられていてもよい。また、切り込み線は、原紙２の厚み方向に貫通していても、非貫通であってもよい。切り込み線は、原紙２の厚み方向に貫通している方が、浮かせる効果は大きく得られやすい。
【００４０】
以上の実施の形態において、プレス加工時に原紙２の裏面側を受ける受け型７０は、切り込み線を挟んだ両側のうちの使用時に浮かせる側又は取り除かれる側の原紙裏面を受ける部分が、他方側の原紙裏面を受ける部分よりも高くなっていてもよい。
【００４１】
かかる場合、例えば図１４に示すように受け型７０の接着部３０の原紙裏面４２を受ける部分に、突出部１００が形成されている。この状態で、プレス加工工程が行われると、接着部３０がより確実に浮きあがる。このとき、接着部３０の原紙裏面４２は、その周囲の原紙裏面４３よりも高くなっている。これにより、開封片２０の開封時に、接着部３０が前板１４からより外れやすくなり、ラップフィルム収容箱１の開封成功率がさらに上がる。
【００４２】
また、突出部１００は、接着部３０の原紙裏面４２を受ける部分の一部に設けられていてもよい。かかる場合、図１５に示すようにプレス加工工程の際に、突出部１００により接着部３０の一部が突出する。これにより、図１６に示すように接着部３０の一部をピンポイントで高くすることができる。一部をピンポイントで高くすることで、全体を高くすることのデメリットを極力抑えることができるので好ましい。つまり、接着部３０を浮きあげると、原紙表面４０が高い分、ラップフィルム収納箱１の組立時の接着剤塗布後のプレス加工において、プレスの効果を受けやすく、接着剤が接着部３０上では拡がりやすく、接着剤による開封片２０との高い接着力が得られるので、開封片２０を切り取る際に、接着部３０がより確実に前板１４から刳り抜かれ、ラップフィルム収納箱１の開封成功率が向上する。その効果を受けやすくするためには、できる限り接着部３０を浮きあげた方が好ましいが、図５に示すように、接着部３０は前板１４の厚み方向に貫通する切り込み線３１と、接着部３０とその周りをつなぐつなぎ部３２で形成されているため、浮きあげすぎるとつなぎ部３２の強度が低下するおそれがある。図１６に示すように、前記突出部１００により接着部３０の一部を突出する場合、つなぎ部３２を避けて突出させることもできるため、つなぎ部３２の強度を低下させずに、プレスの効果を得ることができる。
【００４３】
なお、つまみ片５０やフラップ片６０を受ける部分おいても同様に、受け型７０に突出部１００を形成して、かかる部分を高く形成してもよい。
【００４４】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【実施例】
【００４５】
押し型７２の第１の押さえ部材９２と第２の押さえ部材９３の硬度と、接着部３０の原紙表面４０のその周囲の原紙表面４１に対する浮き量（高低差Ｄ）との関係を検証した。また、その浮き量とラップフィルム収納箱１の開封成功率との関係を検証した。
【００４６】
実験のラップフィルム収納箱には、旭化成ホームプロダクツ（株）社製サランラップ（登録商標）の銘柄３０ｃｍ×５０ｍを基本設計とするものを使用した。また、原紙には、コートボール紙（王子板紙（株）社製サンコート（登録商標））の坪量５５０ｇ／ｍ２を用いた。ラップフィルム収納箱の前板には６個の接着部があり、接着部には、接着部の中央から開封終了側方向に３．５ｍｍの位置と中央の４箇所につなぎ部が設けられ、つなぎ部の幅を０．５０ｍｍにした。また、開封片は、前板の接着部に接着剤（ヘンケルジャパン（株）社製インスタントロック（登録商標））で貼り付けられ、その後箱の側面部等も接着剤で貼り付けて直方体状のラップフィルム収納箱を組み立てた。
【００４７】
第１の押さえ部材９２と第２の押さえ部材９３のアスカ硬度Ａ型を変えてプレス加工を行い、そのプレス加工工程終了時の接着部３０の原紙表面４０の浮き量を測定した。その結果を図１７の表に示す。また、図１７の表の浮き量毎にラップフィルム収納箱を開封し、その開封成功率を調べた。開封条件は、もっとも過酷な開封片のつまみ位置から切り取り点と、前板とのなす角（開封角度）を１８０°とし、切り取り速度は２０ｃｍ／秒程度のゆっくりとした速度で実施した。その結果を図１８の表に示す。第１の押さえ部材９２が第２の押さえ部材９３よりもアスカ硬度Ａ型が１０°以上低いとき、浮き量が５０μｍ以上となり、そのときの開封成功率は８５％以上であった。
【００４８】
また、受け型７０に突出部１００を形成したときの、接着部３０の原紙表面４０の浮き量（高低差Ｄ）と、そのときのラップフィルム収納箱１の開封成功率を調べた。突出部１００は接着部３０の中央部分１／３の大きさで、かつ高さ３００μｍとした。接着部は全体的に１５０μｍ浮き上がり、突出部１００を設けた接着部３０の中央部分は更に２４０μｍ浮き上がった。そのときの開封成功率は９８％であった。
一方で、第１の押さえ部材をなしとすると、プレス加工工程終了後に、接着部３０が取れてしまい、加工することが出来なかった。
【産業上の利用可能性】
【００４９】
本発明は、ラップフィルム収納箱の使用時に、切り込み線のある部分の片側を適正かつ安定的に浮かせたり、取り除く際に有用である。
【符号の説明】
【００５０】
１  ラップフィルム収納箱
２  原紙
３０  接着部
３１  切り込み線
４０、４１  原紙表面
７０  受け型
７２  押し型
９０  刃
９２  第１の押さえ部材
９３  第２の押さえ部材
【図１】
0006010351.tif 000002
【図２】
0006010351.tif 000003
【図３】
0006010351.tif 000004
【図４】
0006010351.tif 000005
【図５】
0006010351.tif 000006
【図６】
0006010351.tif 000007
【図７】
0006010351.tif 000008
【図８】
0006010351.tif 000009
【図９】
0006010351.tif 000010
【図１０】
0006010351.tif 000011
【図１１】
0006010351.tif 000012
【図１２】
0006010351.tif 000013
【図１３】
0006010351.tif 000014
【図１４】
0006010351.tif 000015
【図１５】
0006010351.tif 000016
【図１６】
0006010351.tif 000017
【図１７】
0006010351.tif 000018
【図１８】
0006010351.tif 000019
【図１９】
0006010351.tif 000020